(57)【要約】      （修正有）【課題】ダクトの遮音性、通気性を含む性能あるいは品質を維持しながら、良好な成形性を確保しつつ効率的に製造可能なダクト一体型フロア嵩上げ材の製造方法を提供する。【解決手段】大中空部１８に相当する第２密閉空間、ダクト部２２に相当する第３密閉空間と前記凹部において連通した小中空部に相当する第１密閉空間および捨て袋１１８を形成する段階と、第２密閉空間および捨て袋それぞれに相当する筒状パリソンの部分の外表面に対して、ブローピン１２６を突き刺して加圧流体を吹き込んで、溶融状態の筒状パリソンを膨張させて、対応する分型金型のキャビティの表面に向かって押し付けることにより、筒状パリソンを賦形して、大中空部およびダクト部、さらに連通路を通じて小中空部を成形する段階と、捨て袋を切断して、ダクト部に吸気口あるいは排気口を形成する段階と、を有することを特徴とするダクト一体型フロア嵩上げ材の製造方法。【選択図】図６
2013014032.tif 000002
【特許請求の範囲】
【請求項１】
上面壁と裏面壁との間の高さがフロアの嵩上げに利用される中空二重壁構造であって、小中空部、大中空部およびこれらの中空部の間にダクト部が設けられ、ダクト部と小中空部との間は、連通路により連通され、ダクト部と大中空部との間は仕切られるダクト一体型フロア嵩上げ材の製造方法であって、
それぞれキャビティのまわりにピンチオフ部が設けられ、互いのキャビティを対向させて配置され、型締め位置と開放位置との間で相対移動可能な一対の分割金型を準備する段階を有し、
少なくともいずれかの分割金型のキャビティには、フロア嵩上げ材の裏面壁上に、内部に向かって突出し小中空部とダクト部との間を仕切る第１長溝を形成するための第１突出部と、フロア嵩上げ材の裏面壁上に、内部に向かって突出し大中空部とダクト部との間を仕切る第２長溝を形成するための第２突出部とが、ピンチオフ部間に設けられるとともに、連通路を形成するための凹部が、第１突出部の先端部に、第１突出部の厚み方向に亘って設けられ、さらに少なくともいずれかの金型のキャビティには、ダクト部の端部に相当するキャビティの部位の外方に、ダクト部に連通する捨て袋を形成するための凹部が設けられ、
さらに、溶融状態の筒状パリソンを開放位置の一対の分割金型の間に配置する段階と、
開放位置にある一対の分割金型を型締め位置まで相対的に近接させることにより、一方の金型の前記第１突出部および前記第２突出部それぞれの先端部と、他方の金型のキャビティとが対向して所定距離まで近接するように、前記一対の分割金型を型締め位置まで移動させ、溶融状態の筒状パリソンを偏平に押し潰してピンチオフ部からはみ出す形態とし、溶融状態の筒状パリソンの一対の金型のピンチオフ部に対応する部分を溶着するとともに、大中空部に相当する第２密閉空間、ダクト部に相当する第３密閉空間、ダクト部に相当する第３密閉空間と前記凹部において連通した小中空部に相当する第１密閉空間および捨て袋を形成する段階と、
第２密閉空間および捨て袋それぞれに相当する筒状パリソンの部分の外表面に対して、ブローピンを突き刺して加圧流体を吹き込んで、溶融状態の筒状パリソンを膨張させて、対応する分型金型のキャビティの表面に向かって押し付けることにより、筒状パリソンを賦形して、大中空部およびダクト部、さらに連通路を通じて小中空部を成形する段階と、
捨て袋を切断して、ダクト部に吸気口あるいは排気口を形成する段階と、を有することを特徴とするダクト一体型フロア嵩上げ材の製造方法。
【請求項２】
前記ダクト部の各端部に、捨て袋を形成し、
各捨て袋に対して、ブローピンを突き刺すことにより、ダクト部に相当する前記第３密閉空間内に加圧流体を吹き込む、請求項１に記載のダクト一体型嵩上げ材の製造方法。
【請求項３】
前記一体の分割金型が型締めされた際、前記捨て袋において、前記ピンチオフ部に相当する部位にブローピンを突き刺す、請求項１または請求項２に記載のダクト一体型嵩上げ材の製造方法。
【請求項４】
前記ダクト一体型嵩上げ材は、上面壁と裏面壁と、上面壁と裏面壁との間の周側壁とを有し、周側壁の高さがフロアの嵩上げに利用されるブロー成形による一体中空二重壁構造であって、
前記裏面壁には、それぞれ前記裏面壁から内方へ突出し、隣接あるいは対向する周側壁間を互いに所定間隔を隔てて延びる前記第１長溝および前記第２長溝が設けられ、
前記第１長溝および前記第２長溝はそれぞれ、内部へ突出する対向する側壁と、対向する側壁の下縁同士の間に形成される底壁とを有し、
前記第１長溝および前記第２長溝それぞれの該底壁が、前記上面壁の内面に溶着することにより、前記第１長溝の対向する側壁の一方、該側壁の一方に隣接する側の前記第２長溝の対向する側壁の一方、前記上面壁および前記裏面壁により内部にエア流路を形成するダクト部と、該第１長溝あるいは該第２長溝の対向する側壁の他方、前記上面壁、前記裏面壁および前記周側壁により構成される中空部とが、互いに仕切られる態様で形成される、請求項１ないし請求項３のいずれか１項に記載のダクト一体型嵩上げ材の製造方法。
【請求項５】
前記中空部は、前記第１長溝の対向する側壁の他方、前記上面壁、前記裏面壁および前記周側壁により構成される小中空部と、前記第２長溝の対向する側壁の他方、前記上面壁、前記裏面壁および前記周側壁により構成される大中空部とを有し、前記ダクト部は、該小中空部と該大中空部との間に配置され、前記第１長溝の前記底壁には、対向する側壁間を連絡する前記連通路が形成される、請求項４に記載のダクト一体型フロア嵩上げ材。
【請求項６】
前記連通路を形成するための前記凹部は、半径が２ミリないし１０ミリの半円孤形状である、請求項５に記載のダクト一体型嵩上げ材の製造方法。
【請求項７】
前記連通路を形成するための前記凹部は、前記第１突出部の先端部を切り欠いた溝状に形成される、請求項５に記載のダクト一体型嵩上げ材の製造方法。
【請求項８】
前記少なくともいずれかの分割金型と対向する分型金型のキャビティには、前記上面壁上に、前記上面壁から中空部側へ突出する溝状リブを形成するための第３突出部が設けられ、
前記第１長溝および第２長溝それぞれの前記底壁が、前記溝状リブの底部の内面と溶着する、請求項１に記載のダクト一体型フロア嵩上げ材。
【請求項９】
前記溶融状態のパリソンの配置段階は、一対の分割金型の上方に配置された押出スリットから溶融状態のパリソンを押し出して垂下させる段階を有し、
前記第１突出部および前記第２突出部それぞれは、前記少なくともいずれかの分割金型のキャビティにおいて、前記ピンチオフ部を略上下方向に横断するように設けられ、それにより、前記ダクト部は、略上下方向の向きに成形され、
下の前記捨て袋に対するブローピンは、上方に向かってまたは水平方向に突き刺し、上の前記捨て袋に対するブローピンは、水平方向に突き刺す、請求項１ないし請求項８のいずれか１項に記載のダクト一体型嵩上げ材の製造方法。
【請求項１０】
前記中空部に対するブローピンは、キャビティの表面に略直交する向きに、対応する金型の内部から水平方向に突き刺す、請求項９に記載のダクト一体型嵩上げ材の製造方法。
【発明の詳細な説明】
【技術分野】
【０００１】
本発明は、ダクト一体型フロア嵩上げ材の製造方法に関し、より詳細には、ダクトの遮音性、通気性を含む性能あるいは品質を維持しながら、良好な成形性を確保しつつ効率的に製造可能なダクト一体型フロア嵩上げ材の製造方法に関する。
【背景技術】
【０００２】
従来から、自動車のフロア面の高さを調整するのに樹脂製車両用フロア嵩上げ材が利用されている。
樹脂製車両フロア嵩上げ材は、仕様に応じて所定厚み（高さ）を備えた略矩形状のパネル状であり、軽量化が要求されるとともに、自動車のフロアパンF、主に運転席の足元に設置され、上面に運転主の足が載置される点で、剛性、特に圧縮剛性が要求されることから、上面壁と裏面壁との間を延びて、両壁を連結するリブを内部に設けた一体中空構造体が採用されている。
【０００３】
このようなフロア嵩上げ材は、樹脂製一体中空構造体であることから、その成形方法は、射出成形よりもブロー成形の方が、技術的に有利であり、たとえば特許文献１は、ブロー成形による自動車用フロア嵩上げ材の製造方法を開示する。
この自動車用フロア嵩上げ材の製造方法は、分割金型内の溶融パリソンをブロー成形するものであり、分割金型の型開き段階と、溶融パリソンを型開きした分割金型の間に垂下する段階と、分割金型を型締めして、溶融パリソン内に加圧流体を吹き込む段階とから概略構成される。
【０００４】
より詳細には、間隔をおいて対向する表壁と裏壁とを有する中空二重壁構造の自動車用フロア嵩上げ材の製造方法であって、自動車用フロア嵩上げ材の表壁側に溝状に凹んだ複数の溝状リブを形成するための板状に突出したリブ形成部を有する一方の金型と、自動車用フロア嵩上げ材の裏壁側に略円錐状に窪んだ複数の円錐状リブを形成するための略円錐状に突出したリブ形成部を有する他方の金型とを備えた分割金型を型開きし、分割金型間に溶融したパリソンを垂下させ、一方の金型のリブ形成部の先端部と他方の金型のリブ形成部の先端部が対向して近接するように型締めし、パリソン内に加圧流体を吹き込むことにより、分割金型のキャビティに沿ってパリソンを膨張させるとともに、溝状リブと円錐状リブとを一体に溶着して、表壁には裏壁に向かって溝状に凹んだ複数の溝状リブが略平行に形成され、かつ裏壁には溝状リブに対向する部位に表壁側に向かって略円錐状に窪んだ円錐状リブが形成されていて、各円錐状リブの頂壁と溝状リブの先端部とが溶着部をなして一体化された自動車用フロア嵩上げ材をブロー成形するものである。
【０００５】
ところで、運転席の足元近傍には、通常、自動車の前部に設置されるエアコンからの空調エアを自動車の後部の座席に流すために、エアダクトが運転席の足元に配置される樹脂製車両フロア嵩上げ材の隣接する縁部、あるいは対向する縁部を横切る形態で車両前後方向に延びる。
この点で、エアダクトとフロア嵩上げ材を一体モジュール化して、部品点数を減らしたダクト一体型フロア嵩上げ材が、たとえば特許文献２において、開示されている。このダクト一体型フロア嵩上げ材は、樹脂製であり、上面壁および裏面壁からなる中空二重壁構造を有し、裏面壁から中空部側へ突出させた第１の凹溝および第２の凹溝を上面壁に対して溶着部で一体化させて、第１の凹溝および第２の凹溝の間にフロア嵩上げ材の中空部から隔離されたエア流路を有するダクト部を設けている。
【０００６】
このようなダクト一体型フロア嵩上げ材を、特許文献１のように、ブロー成形により一体成形するとすれば、溶融パリソン内にブローピンを突き刺して、吹き込み圧をかけなければならないことに起因して、以下のような技術的問題が引き起こされる。
【０００７】
第１に、ブローピンを突き刺す位置によっては、不良製品となってしまう点である。
より詳細には、上述のように、ダクトがダクト一体型フロア嵩上げ材の隣接する縁部、あるいは対向する縁部を横切る形態で車両前後方向に延びることから、ダクト一体型フロア嵩上げ材には、互いに仕切られた中空部が３つ形成され、ダクト一体型フロア嵩上げ材は通常ダクトにより不均等に分割されることから、１つが大中空部、１つが小中空部となり、エア流路を構成するダクトは、大中空部と小中空部との間に形成される。
この場合、ダクト以外の大中空部および小中空部には、ブローピンの痕（孔）が残り、密閉性が確保されないとしても、もともとダクト一体型フロア嵩上げ材は、上面にカーペットが敷かれ、外観上の美観が要求されないとともに、中空部の高さ、すなわちフロア嵩上げ材の厚みが確保され、所定の剛性が維持される限り、厳密な密閉性は要求されない。
【０００８】
しかしながら、ダクト部は空調用エアの流路となることから、ブローピンの痕（孔）が残ると、そこからエアが漏れて通風効率の低下を引き起こすとともに、エアが漏れる際、フロア面から異音が発生することがある。
このようなダクトの性能あるいは品質を維持するために、ダクト部だけ別途成形（たとえば、ブロー成形）して成形品として準備しておき、フロア嵩上げ材として、ダクト部抜きでブロー成形して、後からダクト部を組み込むとすれば、フロア嵩上げ材の製造効率が低下する。
【０００９】
第２に、ブローピンの数が多いことに起因して、ブローエアの循環が悪く、成形性に悪影響を与える点である。
より詳細には、互いに仕切られた３つの中空部それぞれに対して、ブローピンを突き刺してブロー成形する場合、中空部の容積に応じて、成形効率の観点から突き刺すブローピンの数を増やす必要があるが、それが逆に、中空部内でのブローエアの循環を劣化させ、吹き込み圧により賦形される溶融パリソンに対する成形性を悪化させることがある。
【００１０】
第３に、内部に通気エアが流れるダクト部の遮音性向上が制限される点である。
より詳細には、ダクト部の遮音性を向上するためには、ダクト部の中空部の容積を大きくする必要があるが、ダクト一体型フロア嵩上げ材の場合、ダクト部は、小中空部と大中空部との間に配置され、広がりに制限がある一方、ダクト部の高さは、その上面が、たとえば運転手によって踏まれる可能性があることから、通常小中空部および大中空部の高さより低く設定し、剛性を確保した隣接する小中空部および大中空部により、その間のダクト部を保護するようにしていることから、ダクト一体型フロア嵩上げ材上でのダクト部の中空部の容積は制限されざるを得ず、その結果、運転席の足元に設置されるダクト一体型フロア嵩上げ材のダクト部からのエア通過音が気になることがある。
【特許文献１】特許第４４６２９２４号公報
【特許文献２】特開２０１０−３０５５３号公報
【発明の開示】
【発明が解決しようとする課題】
【００１１】
以上の技術的問題点に鑑み、本発明の目的は、ダクトの遮音性、通気性を含む性能あるいは品質を維持しながら、良好な成形性を確保しつつ効率的に製造可能なダクト一体型フロア嵩上げ材の製造方法を提供することにある。
【課題を解決するための手段】
【００１２】
上記課題を解決するために、本発明に係るダクト一体型フロア嵩上げ材の製造方法は、
上面壁と裏面壁との間の高さがフロアの嵩上げに利用される中空二重壁構造であって、小中空部、大中空部およびこれらの中空部の間にダクト部が設けられ、ダクト部と小中空部との間は、連通路により連通され、ダクト部と大中空部との間は仕切られるダクト一体型フロア嵩上げ材の製造方法であって、
それぞれキャビティのまわりにピンチオフ部が設けられ、互いのキャビティを対向させて配置され、型締め位置と開放位置との間で相対移動可能な一対の分割金型を準備する段階を有し、
少なくともいずれかの分割金型のキャビティには、フロア嵩上げ材の裏面壁上に、内部に向かって突出し小中空部とダクト部との間を仕切る第１長溝を形成するための第１突出部と、フロア嵩上げ材の裏面壁上に、内部に向かって突出し大中空部とダクト部との間を仕切る第２長溝を形成するための第２突出部とが、ピンチオフ部間に設けられるとともに、連通路を形成するための凹部が、第１突出部の先端部に、第１突出部の厚み方向に亘って設けられ、さらに少なくともいずれかの金型のキャビティには、ダクト部の端部に相当するキャビティの部位の外方に、ダクト部に連通する捨て袋を形成するための凹部が設けられ、
さらに、溶融状態の筒状パリソンを開放位置の一対の分割金型の間に配置する段階と、
開放位置にある一対の分割金型を型締め位置まで相対的に近接させることにより、一方の金型の前記第１突出部および前記第２突出部それぞれの先端部と、他方の金型のキャビティとが対向して所定距離まで近接するように、前記一対の分割金型を型締め位置まで移動させ、溶融状態の筒状パリソンを偏平に押し潰してピンチオフ部からはみ出す形態とし、溶融状態の筒状パリソンの一対の金型のピンチオフ部に対応する部分を溶着するとともに、大中空部に相当する第２密閉空間、ダクト部に相当する第３密閉空間、ダクト部に相当する第３密閉空間と前記凹部において連通した小中空部に相当する第１密閉空間および捨て袋を形成する段階と、
第２密閉空間および捨て袋それぞれに相当する筒状パリソンの部分の外表面に対して、ブローピンを突き刺して加圧流体を吹き込んで、溶融状態の筒状パリソンを膨張させて、対応する分型金型のキャビティの表面に向かって押し付けることにより、筒状パリソンを賦形して、大中空部およびダクト部、さらに連通路を通じて小中空部を成形する段階と、
捨て袋を切断して、ダクト部に吸気口あるいは排気口を形成する段階と、を有する構成としている。
【００１３】
本発明は、ダクト一体型フロア嵩上げ材が、その機能上の要求から、所定の厚み（高さ）を備えた略矩形パネル状であり、一方車両前部に設置されるエアコンからのエアを車両後部に送り込むエアダクトは、フロア嵩上げ材の縁部を横切る形態でフロア嵩上げ材上を車両の前後方向に延びることを利用して、ダクトを形成するための吹き込み圧を作用するブローピンの突き刺す態様を工夫することにより、ダクト一体型フロア嵩上げ材を製造するものである。
【００１４】
より詳細には、以上の構成を有するダクト一体型フロア嵩上げ材の製造方法によれば、大中空部については、大中空部に相当する筒状パリソンの外表面にブローピンを突き刺して、内部に吹き込み圧をかけて賦形する一方、ダクト部については、ダクト端部（エア吸気口側あるいはエア排気口側）に捨て袋を形成し、この捨て袋に対してブローピンを突き刺して、内部に吹き込み圧をかけて賦形することにより、ダクト部を成形し、分割金型内あるいは成形品取り出し後に、捨て袋をバリのようにカットして、エア吸気口あるいはエア排気口を形成することにより、エア流路を形成する部分にはブローピンの痕（孔）を残さず、それにより通風効率の低下を防止するとともに、ブローピンの痕からの異音の発生も防止することが可能であり、さらに小中空部については、ダクト部からのブローエアを連通路を通じて送り込むことで、ダクト一体型フロア嵩上げ材全体として、突き刺すブローピンの数を削減することにより、ブローエアの循環の悪化を防止して、良好なる成形性を確保することが可能であるとともに、この連通路を利用してダクト部と小中空部とを連通することで、ダクト部の中空部容積を増大することにより、ダクト部を通過する通気エアの通過音を低減することも可能であり、以てダクトの遮音性、通気性を含む性能あるいは品質を維持しながら、良好な成形性を確保しつつフロア嵩上げ材をダクトと一体型で効率的に製造可能である。
【００１５】
また、前記ダクト部の各端部に、捨て袋を形成し、
各捨て袋に対して、ブローピンを突き刺すことにより、ダクト部に相当する前記第３密閉空間内に加圧流体を吹き込むのが好ましい。
さらに、前記一体の分割金型が型締めされた際、前記捨て袋において、前記ピンチオフ部に相当する部位にブローピンを突き刺すのがよい。
さらにまた、前記ダクト一体型嵩上げ材は、上面壁と裏面壁と、上面壁と裏面壁との間の周側壁とを有し、周側壁の高さがフロアの嵩上げに利用されるブロー成形による一体中空二重壁構造であって、
前記裏面壁には、それぞれ前記裏面壁から内方へ突出し、隣接あるいは対向する周側壁間を互いに所定間隔を隔てて延びる前記第１長溝および前記第２長溝が設けられ、
前記第１長溝および前記第２長溝はそれぞれ、内部へ突出する対向する側壁と、対向する側壁の下縁同士の間に形成される底壁とを有し、
前記第１長溝および前記第２長溝それぞれの該底壁が、前記上面壁の内面に溶着することにより、前記第１長溝の対向する側壁の一方、該側壁の一方に隣接する側の前記第２長溝の対向する側壁の一方、前記上面壁および前記裏面壁により内部にエア流路を形成するダクト部と、該第１長溝あるいは該第２長溝の対向する側壁の他方、前記上面壁、前記裏面壁および前記周側壁により構成される中空部とが、互いに仕切られる態様で形成されるのがよい。
【００１６】
加えて、前記中空部は、前記第１長溝の対向する側壁の他方、前記上面壁、前記裏面壁および前記周側壁により構成される小中空部と、前記第２長溝の対向する側壁の他方、前記上面壁、前記裏面壁および前記周側壁により構成される大中空部とを有し、前記ダクト部は、該小中空部と該大中空部との間に配置され、前記第１長溝の前記底壁には、対向する側壁間を連絡する前記連通路が形成されるのがよい。
さらに、前記連通路を形成するための前記凹部は、半径が２ミリないし１０ミリの半円孤形状であるのが好ましい。
さらにまた、前記連通路を形成するための前記凹部は、前記第１突出部の先端部を切り欠いた溝状に形成されるのが好ましい。
【００１７】
加えて、前記少なくともいずれかの分割金型と対向する分型金型のキャビティには、前記上面壁上に、前記上面壁から中空部側へ突出する溝状リブを形成するための第３突出部が設けられ、
前記第１長溝および第２長溝それぞれの前記底壁が、前記溝状リブの底部の内面と溶着するのがよい。
【００１８】
さらに、前記溶融状態のパリソンの配置段階は、一対の分割金型の上方に配置された押出スリットから溶融状態のパリソンを押し出して垂下させる段階を有し、
前記第１突出部および前記第２突出部それぞれは、前記少なくともいずれかの分割金型のキャビティにおいて、前記ピンチオフ部を略上下方向に横断するように設けられ、それにより、前記ダクト部は、略上下方向の向きに成形され、
下の前記捨て袋に対するブローピンは、上方に向かって、または水平方向に突き刺し、上の前記捨て袋に対するブローピンは、水平方向に突き刺すのがよい。
さらにまた、前記中空部に対するブローピンは、キャビティの表面に略直交する向きに、対応する金型の内部から水平方向に突き刺すのがよい。
【発明を実施するための最良の形態】
【００１９】
本発明に係るダクト一体型フロア嵩上げ材１０の製造方法の実施形態を図面を参照しながら、以下に詳細に説明する。以下では、自動車の運転席の足元に設置されるダクト一体型フロア嵩上げ材１０を例として、説明する。
【００２０】
図１に示すように、ダクト一体型フロア嵩上げ材１０は、自動車Vの運転席Ｓの足元において、フロアパンFとカーペットCとの間に設置され、フロアパンFの凹凸に係わらず、カーペットCのフロア面が要求されるレベルを満足するように、ダクト一体型フロア嵩上げ材１０の厚みが定められる。
より具体的には、ダクト一体型フロア嵩上げ材１０は、自動車Vのダッシュボードの下方の前方壁面とそれに連なるフロア面の凹部とにわたって配置して使用するものであり、フロア面の凹部に対応する嵩上げ部２とダッシュボードの下方の前方壁面に対応するフットレスト部３とを有して一体に構成されている。
【００２１】
ダクト一体型フロア嵩上げ材１０は、たとえば、モデルチェンジの際、旧モデルのフロア躯体をそのまま利用可能とするための部材であり、軽量化が要求されるとともに、自動車VのフロアパンF、主に運転席Ｓの足元に設置され、上面に運転主の足が載置される点で、剛性、特に圧縮剛性が要求される。
【００２２】
図２に示すように、ダクト一体型フロア嵩上げ材１０は、嵩上げ材が載置されるフロアパンFの上面からフロア面を構成する平面までの所定の厚み（高さ）を備えた略矩形状のパネル状であり、上面壁１２と裏面壁１４と、上面壁１２と裏面壁１４との間の周側壁１６とを有し、周側壁１６の高さがフロアの嵩上げに利用される中空二重壁構造を有する。裏面壁１４には、裏面壁１４が載置されるフロアパンFの凹凸に応じて、それを吸収するための凹凸部が形成され、上面壁１２は、略平面状に形成される。
ダクト一体型フロア嵩上げ材１０は、ＡＢＳ樹脂、変性ポリフェニレンオキサイド系樹脂、ポリカーボネート樹脂、ポリアミド樹脂、ポリスチレン樹脂、ポリエチレン樹脂、ポリプロピレン樹脂等の熱可塑性樹脂で構成され、後に説明するように、ブロー成形によって一体的に形成される。
【００２３】
ダクト一体型フロア嵩上げ材１０の広さ、すなわち上面壁１２あるいは裏面壁１４の大きさは、嵩上げ材１０が設置される場所に応じて、適宜に定められ、上面壁１２、裏面壁１４および周側壁１６それぞれの厚みは、嵩上げ材１０の軽量化と、要求される剛性、特に圧縮剛性との関係で定められ、後に説明するブロー成形の際の吹き込み圧、ブロー比等を考慮して、成形材料である溶融状態の筒状パリソンの厚みを決定することにより、最終的な成形品である嵩上げ材１０の厚みが決められる。
ダクト一体型フロア嵩上げ材１０には、大中空部１８、小中空部２０およびこれらの中空部１８、２０の間に配置されるダクト部２２が、互いに仕切られて設けられる。
より詳細には、図３に示すように、裏面壁１４には、それぞれ裏面壁１４から内方へ突出し、隣接する周側壁１６間を互いに所定間隔を隔てて延びる第１長溝２３および第２長溝２４が設けられ、第１長溝２３および第２長溝２４はそれぞれ、内部へ突出する対向する側壁２６と、対向する側壁２６の下縁２８同士の間に形成される底壁３０とを有する。第１長溝２３および第２長溝２４それぞれは、所定テーパ角度αで内部に向かって先細の形状を有し、所定テーパ角度αは、第１長溝２３または第２長溝２４の底部におけるブロー比に応じて定められる。第１長溝２３と第２長溝２４との所定間隔は、後に説明するダクト部２２の幅に応じて決定される。
【００２４】
第１長溝２３および第２長溝２４それぞれの底壁３０が、上面壁１２の内面３２に溶着することにより、第１長溝２３の対向する側壁２６の一方２６a、側壁２６の一方２６aに隣接する側の第２長溝２４の対向する側壁２６の一方２６a、上面壁１２および裏面壁１４により内部にエア流路２７を形成するダクト部２２と、第１長溝２３の対向する側壁２６の他方２６b、上面壁１２、裏面壁１４および周側壁１６により構成される小中空部２０、第２長溝２４の対向する側壁２６の他方２６b、上面壁１２、裏面壁１４および周側壁１６により構成される大中空部１８とが、互いに仕切られる態様で形成される。
上面壁１２には、第１長溝２３および第２長溝２４に対応する凹溝３４がそれぞれ形成されていて、凹溝３４の深さは１０ｍｍ以下であり、かつ凹溝３４は開口部の幅が１０ｍｍ以下であり、第１長溝２３および第２長溝２４それぞれの底壁３０が、凹溝３４の底部の内面と溶着するようにしている。特に、上面壁１２に設ける凹溝３４について、嵩上げ材１０の高さが低く、ブロー成形によるブロー比があまり高くならず、上面壁１２および裏面壁１４の薄肉化が生じない場合には、凹溝３４を省略し、第１長溝２３および第２長溝２４それぞれを上面壁１２の内面３２まで延ばし、上面壁１２と裏面壁１４との間を連結するリブ状に形成してもよく、それによりカーペットCを通じて触感される上面壁１２の凹凸を低減することが可能である。
【００２５】
図２に示すように、大中空部１８は、嵩上げ部２とダッシュボードの下方の前方壁面に対応するフットレスト部３とを有し、対応する上面壁１２には、凹溝３４が設けられ、上面壁１２を補強している。場合により凹溝３４を裏面壁１４の内面まで延ばすことにより、上面壁１２と裏面壁１４とを連結するリブとして構成してもよい。
小中空部２０には、大中空部１８と同様に、上面壁１２には、凹溝３４が設けられ、上面壁１２を補強している。小中空部２０は、大中空部１８に比べて、容積が小さいことから、上面壁１２と裏面壁１４とを連結するリブを設ける必要性は少ないが、場合により設けてもよい。
【００２６】
小中空部２０とダクト部２２とを連通する連通路５０について、図４を参照して、説明する。図４は、連通路５０の詳細であり、図４（A）は、連通路５０の延び方向に沿う部分断面図であり、図４（B）は、図４（A）において、線C-Cに沿う部分断面図である。
図４に示すように、連通路５０は、小中空部２０とダクト部２２とを仕切る第１長溝２３の底部３０に設けられ、より詳細には、底部３０の幅に相当する長さを有し、第１長溝２３の対向する側壁の一方２６aと他方２６ｂとを連絡する。
【００２７】
図４（B）に示すように、連通路５０の断面は、半円孤状であり、その半径は２ミリないし１０ミリが好ましい。２ミリより小さいと、後に説明するブロー成形の際、筒状パリソンPの肉厚のばらつきが原因で、連通路５０が塞がる可能性があり、１０ミリより大きいと、ブロー成形の際、筒状パリソンPの引き延ばしが過大となり、連通路５０の部分が破れることがある。
筒状パリソンPの肉厚は、成形品であるダクト一体型フロア嵩上げ材１０の上面壁１２、裏面壁１４および周側壁１６の肉厚の基礎となるところ、たとえば、嵩上げ材１０に要求される嵩上げ量が大きく、それにより、周側壁１６の高さが高くなり、成形の際、ブロー比が高くなり、これら躯体壁の屈曲部の厚みが薄肉化される場合には、それに備えて、もともと筒状パリソンPの肉厚を厚肉化する必要があることから、連通路５０の断面形状の大きさに対する上限の制約は緩和され、一方嵩上げ材１０に要求される嵩上げ量が小さく、それにより、周側壁１６の高さが低く、成形の際、ブロー比が低く、これら躯体壁の屈曲部の厚みが薄肉化されない場合には、それに備えて、筒状パリソンPの肉厚を厚肉化する必要がないことから、連通路５０の断面形状の大きさに対する上限の制約は厳しくなる傾向となる。
【００２８】
この点で、連通路５０の設置位置は、第１長溝２３の適宜の位置に設ければよいが、成形上からの連通路５０の断面形状に対する制約が大きい場合には、第１長溝２３に沿って所定間隔を隔てて、連通路５０を複数設けてもよい。
なお、連通路５０の断面形状は、半円孤状に限定されず、ブロー成形の際、後に説明するダクト部２２に形成する捨て袋１１８から導入した加圧流体が連通路５０を介して小中空部２０に吹き込まれ、小中空部２０を円滑に成形することが可能である限り、任意の形状でよい。
【００２９】
ダクト部２２は、隣接する周側壁１６を横切る形態で車両の前後方向に延び、ダクト一体型フロア嵩上げ材１０のわきに位置する水平直線部３６と、水平直線部３６に接続される鉛直部３８と、鉛直部３８に接続され、ダクト一体型フロア嵩上げ材１０上を延びる水平湾曲部４０とを有する。水平直線部３６の一端には、吸気口４２が周側壁１６から外方に突出した位置に設けられ、水平湾曲部４０の一端には、排気口４４が周側壁１６から外方に突出した位置に設けられ、水平直線部３６、鉛直部３８および水平湾曲部４０により内部にエア流路２７が構成され、エアコンユニットの空調エアを排気口４４から後部座席へ送るようにしている。図２に示すように、排気口４４は、コンプレッション部４６を設けることにより、流路が２分割されている。
【００３０】
エア流路２７の流路断面積は、通気エアの流量、発生するエアの通過音等の関係で適宜定めればよいが、エア流路２７の高さ、すなわちダクト部２２の高さは、ダクト部２２の各側に隣接して設置される大中空部１８および小中空部２０の高さより低く設定するのが好ましく、ダクト部２２の上面が大中空部１８および小中空部２０の上面より突出しないようにして、ダクト部２２が、たとえば運転手Dにより直接踏まれないようにするとともに、大中空部１８および小中空部２０によりダクト部２２を保護するようにしている。
なお、ダクト部２２のエア流路２７を構成する上面壁１２の部分には、大小中空部１８、２０と同様に、凹溝３４が形成されている。
【００３１】
図５に示すように、ダクト一体型フロア嵩上げ材１０の成形装置１００は、溶融樹脂の押出装置１０２と、押出装置１０２の下方に配置された、金型の型締装置１０４とを有し、押出装置１０２から押出された溶融状態の熱可塑性樹脂の筒状パリソンを型締装置１０４に送り、型締装置１０４により溶融状態の筒状パリソンをブロー成形するようにしている。なお、図５ないし図７は、図２に示すダクト一体型フロア嵩上げ材１０の線Ｂ−Ｂに沿う断面を基準に成形装置を図示しており、図２に示す点線の部分を省略している。
押出装置１０２は、従来既知であり、その詳しい説明は省略するが、溶融状態の筒状パリソンPを下方に押し出して、型締装置１０４の分割金型１０６A,Bの間に垂下するようにしている。
【００３２】
型締装置１０４は、一対の分割形式の金型１０６A,Bと、金型駆動装置（図示せず）とを有する。
２つの分割形式の金型１０６A,Bは、キャビティ１０８を対向させた状態で配置され、それぞれキャビティ１０８が略鉛直方向に沿うように配置される。
【００３３】
２つの分割形式の金型１０６A,Bそれぞれにおいて、キャビティ１０８のまわりには、ピンチオフ部１１４が形成され、このピンチオフ部１１４は、キャビティ１０８のまわりに環状に形成され、対向する金型１０６A,Bに向かって突出する。これにより、２つの分割形式の金型１０６A,Bを型締する際、それぞれのピンチオフ部１１４の先端部が当接し、筒状パリソンPは、その周縁にパーティングラインPLが形成されるように溶着され、内部に中空部が形成される。
一方のキャビティ１０８Aの表面は、上面壁１２の表面に成形すべき形状に応じて、それと相補形状とされる。他方のキャビティ１０８Bの表面は、裏面壁１４の表面に成形すべき形状に応じて、それと相補形状とされる。
より具体的には、一方の分割金型１０６Bのキャビティ１０８Bには、フロア嵩上げ材１０の裏面壁１４上に、内部に向かって突出し小中空部２０とダクト部２２との間を仕切る第１長溝２３を形成するための第１突出部１１０（図示せず）と、フロア嵩上げ材１０の裏面壁１４上に、内部に向かって突出し大中空部１８とダクト部２２との間を仕切る第２長溝２４を形成するための第２突出部１１２とが、環状のピンチオフ部１１４Bを略横切る態様で設けられ、これにより、後に説明するように、ブロー成形の際、一方の分割金型１０６Bの型締めにより環状のピンチオフ部１１４A,B内により形成される密閉空間が、第１突出部１１０と第２突出部１１２とにより、３つ（大中空部１８、小中空部２０およびダクト部２２）に分けられるようにしている。なお、小中空部２０およびダクト部２２とは、厳密には、連通路５０により互いに連通している。
【００３４】
一方の分割金型１０６Bと対向する分型金型１０６Aのキャビティ１０８Aには、さらに、上面壁１２上に、上面壁１２から中空部側へ突出する溝状リブを形成するための第３突出部１１６が設けられ、第１長溝２３および第２長溝２４それぞれの底壁３０が、溝状リブの底部の内面と溶着するようにしている。
【００３５】
図８に示すように、第１突出部１１０の先端部１１１には、連通路５０を形成するための凹部１１３が、第１突出部１１０の厚み方向に亘って設けられる。凹部１１３は、第１突出部１１０の先端部１１１を切り欠いた溝状に形成されるのが好ましく、凹部１１３の幅ｄおよび断面形状それぞれが、連通路５０の長さおよび断面形状を構成する。
分割金型１０６A,Bのキャビティ１０８A,Bそれぞれには、ダクト部２２の端部に相当するキャビティ１０８の部位の外方で、ピンチオフ部１１４近傍に、ダクト部２２に連通する捨て袋１１８を形成するための凹部１２０A,Bが設けられる。
【００３６】
また、一方の分割金型１０６Bのキャビティ１０８Bには、フロア嵩上げ材１０の裏面壁１４上に、内部に向かって突出する凹溝３４を形成するための突起部１２２がさらに設けられ、それに対して、他方の分割金型１０６Aのキャビティ１０８Aには、この突起部１２２に対応する位置に、上面壁１２上に、内部に向かって突出する凹溝３６を形成するための突起部１１７が設けられ、それにより、中空部内には、裏面壁１４と上面壁１２とを連結するリブが形成されるようにしている。
【００３７】
金型駆動装置（図示せず）については、従来と同様のものであり、その説明は省略するが、２つの分割形式の金型１０６A,Bはそれぞれ、金型駆動装置（図示せず）により駆動され、開位置において、２つの分割金型１０６A,Bの間に、溶融状態の筒状パリソンPが垂下可能なようにされ、一方閉位置において、２つの分割金型１０６A,Bのピンチオフ部１１４が当接し、環状のピンチオフ部１１４が互いに当接することにより、２つの分割金型１０６A,B内に密閉空間が形成されるようにしている。
分割金型１０６A,Bには、金型１０６A,Bを型締したときに両金型１０６A,Bにより形成される密閉空間内に吹き込み圧をかけることが可能なように、従来既知のブローピン１２６が設置され、たとえばピストンーシリンダ機構によりブローピン１２６が突き刺し位置と、待機位置との間を往復直線運動可能なように構成している。
ブローピン１２６は、互いに仕切られる大中空部１８、小中空部２０およびダクト部２２それぞれに応じて設けられ、特にダクト部２２については、エア流路２７を構成する本体部でなく、本体部の両端に形成する捨て袋１１８に対して設けられる。なお、図５において、大中空部１８および下の捨て袋１１８それぞれに対するブローピン１２６のみが図示されている。
【００３８】
ブローピン１２６の設置数、および突き刺す方向について、大中空部１８および小中空部２０については、金型１０６A,Bのキャビティ１０８に対して略直交する向きに水平方向であり、一方ダクト部２２については、上の捨て袋１１８については、金型１０６A,Bのキャビティ１０８に対して略直交する向きに水平方向（図５において、図面上、裏から表あるいは表から裏の方向）、一方下の捨て袋１１８については、上方に向かう方向としている。小中空部２０の容積は、大中空部１８のそれにより小さいことから、小中空部２０を成形するのに突き刺すブローピン１２６の数は、大中空部１８を成形するのに突き刺すブローピン１２６の数より少ない。
これにより、筒状パリソンPを分割金型１０６A,Bの間に垂下した状態で、円滑にブローピン１２６の突き刺しを可能としている。
【００３９】
この自動車用フロア嵩上げ材１０の製造方法は、分割金型１０６A,B内の溶融パリソンPをブロー成形するものであり、分割金型１０６A,Bの型開き段階と、溶融パリソンPを型開きした分割金型１０６A,Bの間に垂下する段階と、分割金型１０６A,Bを型締めして、溶融パリソンP内に加圧流体を吹き込む段階とから概略構成される。
より詳細には、図５に示すように、まず、溶融状態の筒状パリソンPを開放位置の一対の分割金型１０６A,Bの間に配置する。具体的には、一対の分割金型１０６A,Bの上方に配置された押出装置１０２から溶融状態のパリソンPを押し出して垂下させる。筒状パリソンPの径および厚みは、ブロー成形後の自動車用フロア嵩上げ材１０に要求される厚みを基に、特にブロー成形の際のブロー比を考慮して、決定すればよい。
【００４０】
次いで、図６に示すように、開放位置にある一対の分割金型１０６A,Bを型締め位置まで相対的に近接させることにより、一方の金型１０６Bの第１突出部１１０および第２突出部１１２それぞれの先端部と、他方の金型１０６Aのキャビティ１０８Aとが対向して所定距離まで近接するように、一対の分割金型１０６A,Bを型締め位置まで移動させ、溶融状態の筒状パリソンPを偏平に押し潰してピンチオフ部１１４からはみ出す形態とし、一方の金型１０６A,Bの第１突出部１１０および第２突出部１１２それぞれの先端部と、他方の金型１０６A,Bのキャビティ１０８の第３突出部１１６の先端部とが対向して所定距離まで近接するように、一対の分割金型１０６A,Bを型締め位置まで移動する。この所定距離は、型締めした際、第１突出部１１０および第２突出部１１２それぞれの先端部、並びに第３突出部１１６の先端部により、溶融状態の筒状パリソンPには、第１長溝２３、第２長溝２４および凹溝３４それぞれの基礎となる溝が形成されて、互いの溝の底部同士が溶着されるところ、この溶着が確実に行われるように設定する。すなわち、第１突出部１１０および第２突出部１１２それぞれの対向する先端部と、対応する第３突出部１１６の先端部との間には、溶融パリソンPの厚みの２倍に相当する溶融樹脂が存在するが、所定距離が小さすぎると、溶着は可能であるものの、溶融状態の筒状パリソンPがつぶされて、筒状パリソンPが各先端部からはみ出し、一方所定距離が大きすぎると、溶着不十分となる。
【００４１】
また、このような分割金型１０６A,Bの型締めにより、溶融状態の筒状パリソンPの一対の金型１０６A,Bのピンチオフ部１１４に対応する部分が溶着することにより、周側壁１６が形成され、筒状パリソンPの内部に密閉中空部が形成される一方、第１突出部１１０ないし第３突出部１１６により、第１長溝２３、第２長溝２４および凹溝３４それぞれの基礎となる溝が形成されるとともに、第１突出部１１０の先端部１１１に設けた凹部１１３に相当する部位を除き、第１長溝２３および第２長溝２４の底部が対応する凹溝３４の底部と溶着することにより、第１突出部１１０の先端部１１１により大中空部１８に相当する第１密閉空間、連通路５０を介して小中空部２０と連通する、ダクト部２２に相当する第３密閉空間、および捨て袋１１８が形成される。
【００４２】
この場合、第１突出部１１０および第２突出部１１２それぞれは、一方の分割金型１０６A,Bのキャビティ１０８において、ピンチオフ部１１４を略上下方向に横断するように設けられるので、それにより、ダクト部２２は、略上下方向の向きに成形される。
次いで、図６に示すように、第１密閉空間および捨て袋１１８それぞれに相当する筒状パリソンPの部分の外表面に対して、ブローピン１２６を突き刺して加圧流体を吹き込んで、溶融状態の筒状パリソンPを膨張させて、対応する分型金型１０６A,Bのキャビティ１０８の表面に向かって押し付けることにより、筒状パリソンPを賦形して、大中空部１８およびダクト部２２それぞれを成形するとともに、連通路５０を介してダクト部２２に導入した加圧流体が小中空部２０内に吹き込まれて、小中空部２０も成形される。
【００４３】
より具体的には、ダクト部２２の各端部に、捨て袋１１８を形成し、各捨て袋１１８に対して、ブローピン１２６を突き刺すことにより、ダクト部２２に相当する第３密閉空間内に加圧流体を吹き込む。この場合、一体の分割金型１０６A,Bが型締めされた際、各捨て袋１１８において、ピンチオフ部１１４に相当する部位にブローピン１２６を突き刺す。これにより、ピンチオフ部１１４に相当する部位は、一対の金型１０６A,Bにより強固に挟み付けられているので、たとえば突き刺されるパリソンPの部分が突き刺し方向に逃げたりすることなく、ブローピン１２６を確実に突き刺すことが可能である。
【００４４】
図６に示すように、下の捨て袋１１８に対するブローピン１２６は、上方に向かって突き刺し、上の捨て袋１１８に対するブローピン１２６は、水平方向（図面上、裏から表、あるいは表から裏に向かう方向）に突き刺す。一方、大中空部１８に対するブローピン１２６は、キャビティ１０８の表面に略直交する向きに、対応する金型１０６A,Bの内部から水平方向に突き刺す。
【００４５】
これにより、ブローピン１２６の円滑な突き刺しにより成形効率を低下させることなく、空調用エアの流路を構成するダクト部２２の本体には、ブローピンの痕（孔）を残すことなしに、エアの漏れによる通風効率の低下を抑制するとともに、フロア面からの異音の発生も防止することが可能である。
【００４６】
次いで、捨て袋１１８を切断して、ダクト部２２の一端に吸気口４２、他端に排気口４４を形成する。吸気口４２および排気口４４をパーティングラインPL（図２参照）が形成される周側壁１６から外方に突出した位置に形成することにより、吸気口４２および排気口４４それぞれに対して容易に外部ダクトを接続することが可能である。
次いで、図７に示すように、一対の分割金型１０６A,Bを型開きし、成形したダクト一体型フロア嵩上げ材１０を一対の分割金型１０６A,Bから取り出して、バリを除去することにより、ダクト一体型フロア嵩上げ材１０が完成する。
【００４７】
以上の構成を有するダクト一体型フロア嵩上げ材１０の製造方法によれば、大中空部１８については、大中空部１８に相当する筒状パリソンPの外表面にブローピン１２６を突き刺して、内部に吹き込み圧をかけて賦形する一方、ダクト部２２については、ダクト端部（エア吸気口側あるいはエア排気口側）に捨て袋１１８を形成し、この捨て袋１１８に対してブローピン１２６を突き刺して、内部に吹き込み圧をかけて賦形することにより、ダクト部２２を成形し、分割金型１０６内あるいは成形品取り出し後に、捨て袋１１８をバリのようにカットして、エア吸気口４２あるいはエア排気口４４を形成することにより、エア流路２７を形成する部分にはブローピン１２６の痕（孔）を残さず、それにより通風効率の低下を防止するとともに、ブローピン１２６の痕からの異音の発生も防止することが可能であり、さらに小中空部２０については、ダクト部２２からのブローエアを連通路５０を通じて送り込むことで、ダクト一体型フロア嵩上げ材１０全体として、突き刺すブローピン１２６の数を削減することにより、ブローエアの循環の悪化を防止して、良好なる成形性を確保することが可能であるとともに、この連通路５０を利用してダクト部２２と小中空部２０とを連通することで、ダクト部２２の中空部容積を増大することにより、ダクト部２２を通過する通気エアの通過音を低減することも可能であり、以てダクトの遮音性、通気性を含む性能あるいは品質を維持しながら、良好な成形性を確保しつつフロア嵩上げ材をダクトと一体型で効率的に製造可能である。
【００４８】
以上、本発明の実施形態を詳細に説明したが、本発明の範囲から逸脱しない範囲内において、当業者であれば、種々の修正あるいは変更が可能である。
たとえば、本実施形態において、ダクト一体型フロア嵩上げ材１０として、自動車Vの運転席Ｓの足元に設置される場合を説明したが、それに限定されることなく、フロア面の高さ調整に利用される限り、自動車Vの補助席あるいは後部座席の足元に設置される場合でもよい。
また、本実施形態において、ダクト一体型フロア嵩上げ材１０として、ダクト部２２が嵩上げ材１０の隣接する側面を車両の前後方向に横切る場合として説明したが、それに限定されることなく、ダクト部２２のルートがフロア嵩上げ材１０の設置位置に重なり、ダクト部２２を一体で成形する限り、たとえばダクト部２２が嵩上げ材１０の対向する側面を車両の前後方向に横切る場合でもよい。
【００４９】
さらに、本実施形態において、ダクト一体型フロア嵩上げ材１０において、ダクト部２２と中空部とを仕切る第１長溝２３および第２長溝２４について、裏面壁１４から内方に突出し、上面壁１２から内方向に突出する凹溝３４と、嵩上げ材１０の内部で互いの先端部同士が溶着される場合を説明したが、それに限定されることなく、第１長溝２３および第２長溝２４を上面壁１２側に設け、一方凹溝３４を裏面壁１４側に設けてもよい。また、フロア嵩上げ材１０の嵩上げに必要な高さがあまり高くなく、それによりブロー成形の際、上面壁１２および裏面壁１４のブロー比があまり高くならず、両壁の厚みの薄肉化が問題とならない場合には、凹溝３４を省略し、裏面壁１４あるいは上面壁１２に設ける第１長溝２３あるいは第２長溝２４の先端が上面壁１２あるいは裏面壁１４の内面３２に直接溶着されるように構成してもよい。
加えて、本実施形態において、分割金型１０６の型開き前に捨て袋を切断する場合を説明したが、場合により、型開き後に切断してもよい。
【図面の簡単な説明】
【００５０】
【図１】本発明の実施形態に係るダクト一体型嵩上げ部材が自動車Vの運手席の足元に設置される状況を示す概略図である。
【図２】本発明の実施形態に係るダクト一体型嵩上げ部材の斜視図である。
【図３】図２の線Ａ−Ａに沿う断面図である。
【図４】本発明の実施形態に係るダクト一体型嵩上げ部材の成形装置１００において、第１長溝２３に設ける連通路５０の部分断面図である。
【図５】本発明の実施形態に係るダクト一体型嵩上げ部材の成形装置１００において、筒状パリソンPが一対の分割金型１０６A,Bの間に配置される状況を示す概略図である。
【図６】本発明の実施形態に係るダクト一体型嵩上げ部材の成形装置１００において、一対の分割金型１０６A,Bが型締された状況を示す概略図である。
【図７】本発明の実施形態に係るダクト一体型嵩上げ部材の成形装置１００において、一対の分割金型１０６A,Bが型開きされた状況を示す概略図である。
【図８】本発明の実施形態に係るダクト一体型嵩上げ部材の成形装置１００において、第１突出部１１０の先端部１１１に設けられる凹部１１３の詳細を示す部分斜視図である。
【符号の説明】
【００５１】
V  自動車
C  カーペット
F  フロアパン
S  運転席
D  運転者
P  筒状パリソン
PL  パーティングライン
１０  ダクト一体型嵩上げ部材
１２  上面壁
１４  裏面壁
１６  周側壁
１８  大中空部
２０  小中空部
２２  ダクト部
２３  第１長溝
２４  第２長溝
２６  対向する側壁
２８  下縁
３０  底壁
３２  内面
３４  凹溝
３６  水平直線部
３８  鉛直部
４０  水平湾曲部
４２  吸気口
４４  排気口
５０  連通路
１００  成形装置
１０２  押出装置
１０４  型締装置
１０６  分割金型
１０８  キャビティ
１１０  第１突出部
１１１  先端部
１１３  凹部
１１２  第２突出部
１１４  ピンチオフ部
１１６  第３突出部
１１７  突起部
１１８  捨て袋
１２０  凹部
１２２  突起部
１２６  ブローピン
【図１】
2013014032.tif 000003
【図２】
2013014032.tif 000004
【図３】
2013014032.tif 000005
【図４】
2013014032.tif 000006
【図５】
2013014032.tif 000007
【図６】
2013014032.tif 000008
【図７】
2013014032.tif 000009
【図８】
2013014032.tif 000010